(57)【要約】【課題】携帯に便利で、且つ、フライヤー火災を確実に消火できるパイプ状消火用具を提供する。【解決手段】パイプ状消火用具１０は、所要量の消火剤をパイプ状容器１２内に封入してなり、消火時には、火元まで運び、先端をフライヤーの縁の内側に位置させ、基端側の放出駆動フック１４を引張ることによって、内部の先端側栓２８を、先端吐出口２４から離間してこれを開口させ、パイプ状容器１２内の消火剤が、先端のシャワーノズル部３６の細孔３６Ａからフライヤーなどの火元に、油を飛散させることなく放出されるようにしたものである。【選択図】図１
0003160108.tif 000002
【実用新案登録請求の範囲】
【請求項１】
消火剤が内部に封入されているパイプ状容器と、このパイプ状容器の先端吐出口を開口可能に閉じている先端側栓と、この先端側栓に一体的に連結され、且つ、前記パイプ状容器の内部を通って基端側端面から突出され、突出端部が外方に引張られたとき、前記先端側栓を前記パイプ状容器内に引き込んで、前記先端吐出口を開く放出駆動部材と、前記パイプ状容器における先端を覆って取付けられ、前記先端吐出口を囲む副室を形成するとともに、先端面に複数の細孔からなるシャワーノズル部を備えたノズルキャップと、を有してなるパイプ状消火用具。
【請求項２】
請求項１において、
前記パイプ状容器の、前記基端側端面に、基端側開口が設けられ、前記放出駆動部材の基端部は、前記基端側開口に引抜き可能に嵌合された基端側栓、及び、この基端側栓の外側端に連結された放出駆動フックから構成されたことを特徴とするパイプ状消火用具。
【請求項３】
請求項１において、
前記パイプ状容器は、パイプ部と、このパイプ部の先端開口を塞ぐ先端キャップ及び基端開口を塞ぐ基端キャップとから構成され、前記先端吐出口は前記先端キャップに形成され、前記ノズルキャップは、前記先端キャップに嵌合されたキャップ状部材であることを特徴とするパイプ状消火用具。
【請求項４】
請求項２において、
前記パイプ状容器は、パイプ部と、このパイプ部の先端開口を塞ぐ先端キャップ及び基端開口を塞ぐ基端キャップとから構成され、前記基端側開口は、前記基端キャップに形成され、前記基端側栓は、前記基端側開口の内周に弾力的に嵌合するように、前記放出駆動部材に取付けられたオーリングを含んで構成されたことを特徴とするパイプ状消火用具。
【請求項５】
請求項１乃至４のいずれかにおいて、
前記パイプ状容器は、長さがほぼ８０〜１００ｃｍ、内容量が１０００〜１５００ｍｌとされていることを特徴とするパイプ状消火用具。
【考案の詳細な説明】
【技術分野】
【０００１】
この考案は、消火用具に関するものであり、特に、店舗・食品工場などの業務用のフライヤー火災の消火に用いて好適なパイプ状消火用具に関する。
【背景技術】
【０００２】
近年、店舗・食品工場などにおいて、フライヤーの油が発火するフライヤー火災が増加している。
【０００３】
このフライヤー火災に対しては、一般的な消火用具は使用方法がわかりにくく、又、投てき型の消火用具をフライヤーに投入したりすると、却って油が飛散し、消火不可能となってしまうという問題点があり、又、燃えている油に接近すると危険であるので、どうしても離れた位置から消火せざるを得ず、迅速な消火が困難となり、本来は初期消火できるフライヤー火災も店舗や工場全体に及ぶ大きな損害になってしまうという問題点がある。
【０００４】
更にフライヤー火災に対して、大型の消火器を用いた場合は、鎮火後の油及び消火剤の処理が大掛かりとなってしまうために、店舗や食品工場などでの業務に支障が出てしまうという問題点がある。
【０００５】
特許文献１には、油の飛散による火災の拡大を最小限に抑え、より容易に油火災に対応可能な消火方法及び消火器具が提案されている。
【０００６】
この消火方法及び消火器具は、モータにより駆動されるポンプを備えた大型の薬液タンクを有し、この薬液タンクからホースを介してノズルの先端の排出口に薬液を導き、発火した油を含む高温の油を飛散させること無く、なおかつ風圧により炎を高く舞い上がらせること無しに消火するようにしたものである。
【０００７】
しかしながら、この特許文献１記載の消火方法及び消火器具では、薬液タンクが大きく、広い設置面積が必要であると共に、可搬性に乏しく、薬液タンクから一定距離以上離れた場合は消火できないという問題点がある。
【先行技術文献】
【特許文献】
【０００８】
【特許文献１】特開２００９−２７３６９２号公報
【考案の概要】
【考案が解決しようとする課題】
【０００９】
この考案は、消火方法がわかりやすく、且つ、火元から離れた位置からでも、油を飛散させたりすること無く容易にフライヤー火災を消火できるパイプ状消火用具を提供することを課題とする。
【課題を解決するための手段】
【００１０】
本考案によるパイプ状消火用具は、消火剤が内部に封入されているパイプ状容器と、このパイプ状容器の先端吐出口を開口可能に閉じている先端側栓と、この先端側栓に一体的に連結され、且つ、前記パイプ状容器の内部を通って基端側端面から突出され、突出端部が外方に引張られたとき、前記先端側栓を前記パイプ状容器内に引き込んで、前記先端吐出口を開く放出駆動部材と、前記パイプ状容器における先端を覆って取付けられ、前記先端吐出口を囲む副室を形成するとともに、先端面に複数の細孔からなるシャワーノズル部を備えたノズルキャップと、を有することにより、上記目的を達成するものである。
【考案の効果】
【００１１】
この考案に係るパイプ状消火用具は、パイプ形状の容器に消火剤が収納されていて、容易に運ぶことができ、火元から離れた位置で保持しつつ、燃えている油の表面に消火剤をシャワー状に放出して、迅速に拡散させて、安全且つ迅速な消火をすることができるという効果を有する。
【図面の簡単な説明】
【００１２】
【図１】本考案の実施例に係るパイプ状消火用具の断面図
【図２】図１のII−II線に沿う拡大平面図
【図３】同パイプ状消火用具の使用時の状態を示す断面図
【考案を実施するための形態】
【００１３】
以下、本考案の実施の形態について、詳細に説明する。
【実施例】
【００１４】
以下、本考案の実施例に係るパイプ用消火用具１０について詳細に説明する。
【００１５】
このパイプ状消火用具１０は、消火剤が内部に封入されているパイプ状容器１２の、基端側に設けられた放出駆動フック１４を引張って開栓し、先端のノズルキャップ１６からシャワー状に、パイプ状容器１２内の消火剤を放出するものであり、例えば、左手で、パイプ状容器１２の長手方向中間部を持ち、右手で、ノズルキャップ１６と反対側の基端部を持って、ノズルキャップ１６から放出される消火剤を、例えば油が燃えているフライヤー内に注入して、消火するものである。
【００１６】
パイプ状容器１２は、ポリ塩化ビニル（ＰＣＶ）の円形パイプからなるパイプ部１８と、このパイプ部１８の先端開口を塞ぐ先端キャップ２０と、パイプ部１８の基端開口を塞ぐ基端キャップ２２とから構成されている。
【００１７】
先端キャップ２０の先端側（図１において下側）の中央には、先端吐出口２４が設けられている。又、基端キャップ２２の基端側（図１において上側）の中央位置には、基端側開口２６が形成されている。
【００１８】
先端吐出口２４は、先端側栓２８により、開口可能に閉じられている。又、この先端側栓２８の、内側（図１において、パイプ状容器１２の内側）面には、パイプ状の連結部材３０の先端が一体的に連結されている。
【００１９】
パイプ上の連結部材３０は、基端側開口２６を通って、外方（図１において上方）に突出し、その突出端部に、前記放出駆動フック１４が連結されている。又、連結部材３０の、前記基端側開口２６を通る部分には、外周側に２本のオーリング３２Ａ、３２Ｂが嵌合されていて、その外周が基端側開口２６の内周に接触することによって、基端側栓３２を構成している。
【００２０】
前記放出駆動フック１４、連結部材３０は、放出駆動部材３４を構成している。又、先端側栓２８は、円盤状部材の外周に２本のオーリング２８Ａ、２８Ｂを取付けたものであり、このオーリング２８Ａ、２８Ｂが、先端吐出口２４の内周に弾力的に接触することによって、パイプ状容器１２内の消火剤を封入している。
【００２１】
放出駆動部材３４を、放出駆動フック１４を介して図１において上方に引っ張ったとき、先端側栓２８は先端吐出口２４から上方に抜け、又、基端側栓３２も、基端側開口２６から上方に抜け、これによって、パイプ状容器１２内の消火剤が先端吐出口２４から下方に放出されるようになっている。
【００２２】
ノズルキャップ１６は、先端キャップ２０の更に先端側に嵌合して取付けられたキャップ状部材であって、先端吐出口２４を囲む副室２１を形成するようになっている。又、ノズルキャップ１６は、先端面（図１において下端面）に、図２に示されるように、複数の細孔３６Ａからなるシャワーノズル部３６を有している。
【００２３】
シャワーノズル部３６を構成する細孔３６Ａは、例えば図２に示されるように、先端面に均一に配置されている。
【００２４】
基端キャップ２２の一側には、吊下げ用ヒモ３８を通すリブ２２Ａが一体的に設けられている。この実施例に係るパイプ状消火用具１０は、オーリング２８Ａ、２８Ｂ、３２Ａ、３２Ｂ及び吊下げ用ヒモ３８を除き、その材料は、ＰＣＶとされている。
【００２５】
又、パイプ状消火用具１０におけるパイプ状容器１２は、長さがほぼ８０〜１００ｃｍ、内容量が１０００〜１５００ｍｌとされ、内部に収納される消火剤が、例えば油火災の消火に最適な炭酸カリウムの３８ｗｔ％水溶液からなり、業務用フライヤー火災の消火に十分な消火液を収納している。
【００２６】
内容量が１０００ｍｌ未満の場合は、業務用フライヤー火災の消火に不十分であり、又、１５００ｍｌを超えると、パイプ状消火用具１０の重さが過大となり、消火作業が容易でないことになる。
【００２７】
又、パイプ状容器１２の長さが８０ｃｍ未満の場合は、ノズルキャップ１６から放出される消火剤をフライヤーに放出する際に、消火作業者とフライヤーとの距離が短すぎて危険であり、又、１００ｃｍを超えた場合は、パイプ状消火用具１０の取扱いや収納が不便となる。
【００２８】
この実施例に係るパイプ状消火用具１０は、例えば厨房の壁に、吊下げ用ヒモ３８を介して吊下げておけば、簡単に取外して、火元まで容易に運ぶことができる。
【００２９】
このパイプ状消火用具１０により、フライヤー火災を消火する場合は、先ず、パイプ状消火用具１０を吊下げ箇所から外して、火元となるフライヤー近くまで運ぶ。
【００３０】
次に、パイプ状容器１２のほぼ中間部を一方の手で持ち、他方の手は、放出駆動フック１４又はその近傍を持ち、ノズルキャップ１６を、火元のフライヤーの縁の内側に位置させる。このとき、パイプ状消火用具１０は、図３に示されるように先端側を下げた傾斜状態に維持する。
【００３１】
次に、放出駆動フック１４を引張ると、放出駆動部材３４が、図３において右上に引張られ、先端側栓２８はパイプ状容器１２の内側に抜け、又、基端側栓３２は、基端側開口２６から外方に抜け出る。
【００３２】
これによって、基端側開口２６から空気が入り込むことができ、パイプ状容器１２内の消火剤は、先端吐出口２４を経て、重力によって流出し、副室２１を満たしてから、シャワーノズル部３６の細孔３６Ａから火元のフライヤー内に放出される。
【００３３】
消火剤は、多数の細孔３６Ａからなるシャワーノズル部３６から放出されるので、燃えているフライヤー内の油に激しく衝突することはなく、従って、油も周囲に飛散しない。
【００３４】
消火作業中は、作業者の一方の手がパイプ状容器１２の中間部にあり、火元のフライヤーの縁との距離が５０ｃｍ程度となるので、作業者の手が炎に煽られることはない。パイプ状容器１２内には、充分な量の消火剤が収容されているので、フライヤー火災は完全に消火される。
【００３５】
上記実施例において、先端側栓２８と基端側栓３２とは、パイプ状の連結部材３０により連結されているが、これは、引張部材、例えば樹脂ワイヤのような部材であってもよい。
【００３６】
又、このパイプ状消火用具１０において、消火剤の収納部分が、従来はホースとなるようなパイプ状容器１２に収容されているので、ホースとは別途に消火剤タンクを設けたりする必要が無い。従って、持ち運びが便利であり、使用場所に限定が無い。
【産業上の利用可能性】
【００３７】
この考案のパイプ状消火用具は、フライヤー火災などの油火災に用いて好都合である。
【符号の説明】
【００３８】
１０…パイプ状消火用具
１２…パイプ状容器
１４…放出駆動フック
１６…ノズルキャップ
１８…パイプ部
２０…先端キャップ
２１…副室
２２…基端キャップ
２２Ａ…リブ
２４…先端吐出口
２６…基端側開口
２８…先端側栓
２８Ａ、２８Ｂ、３２Ａ、３２Ｂ…オーリング
３０…連結部材
３２…基端側栓
３４…放出駆動部材
３６…シャワーノズル部
３６Ａ…細孔
３８…吊下げ用ヒモ
【図１】
0003160108.tif 000003
【図２】
0003160108.tif 000004
【図３】
0003160108.tif 000005